(57)【要約】 【課題】  製造コストの高騰を来すことなくランプハウジングとカバーの組付時における作業効率の向上を図る。【解決手段】  開口を有するランプハウジング２と、ランプハウジングの開口を覆うカバー３と、ランプハウジングの内面側に位置されたコネクター８と、カバーの内面側に位置されランプハウジングとカバーの組付状態においてコネクターと結合される結合体１８とを備え、コネクター又は結合体がランプハウジング又はカバーに対して少なくとも傾動可能にされた。これにより、結合体の位置又はコネクターの位置に応じてコネクター又は結合体が傾動されて結合体とコネクターが結合されれるため、製造コストの高騰を来すことなくランプハウジングとカバーの組付時における作業効率の向上を図ることができる。【選択図】図２
2017120735.tif 000002
【特許請求の範囲】
【請求項１】
開口を有するランプハウジングと、
前記ランプハウジングの前記開口を覆うカバーと、
前記ランプハウジングの内面側に位置されたコネクターと、
前記カバーの内面側に位置され前記ランプハウジングと前記カバーの組付状態において前記コネクターと結合される結合体とを備え、
前記コネクター又は前記結合体が前記ランプハウジング又は前記カバーに対して少なくとも傾動可能にされた
車輌用灯具。
【請求項２】
前記ランプハウジングに前記コネクターが支持される支持突部が設けられた
請求項１に記載の車輌用灯具。
【請求項３】
前記結合体又は前記コネクターの一方には前記ランプハウジングと前記カバーの組付時に前記結合体と前記コネクターの位置を合わせる方向へ前記結合体又は前記コネクターを誘導する誘導部が設けられ、
前記結合体又は前記コネクターの他方には前記誘導部に誘導される被誘導部が設けられた
請求項１又は請求項２に記載の車輌用灯具。
【請求項４】
前記ランプハウジング又は前記カバーに球状の挿入突部又は支持凹部が形成され、
前記コネクター又は前記結合体に前記挿入突部又は前記支持凹部に回転自在に支持される球状の支持凹部又は挿入突部が形成された
請求項１、請求項２又は請求項３に記載の車輌用灯具。
【請求項５】
前記コネクター又は前記結合体に前記ランプハウジング又は前記カバーに押し当てられるバネ部が設けられた
請求項１、請求項２又は請求項３に記載の車輌用灯具。
【請求項６】
前記コネクター又は前記結合体に前記ランプハウジング又は前記カバーに取り付けられる被取付部と前記被取付部に連結されたバネ部とが設けられた
請求項１、請求項２又は請求項３に記載の車輌用灯具。
【発明の詳細な説明】
【技術分野】
【０００１】
本発明は、ランプハウジングとカバーの組付時に結合体とコネクターが結合される車輌用灯具についての技術分野に関する。
【先行技術文献】
【特許文献】
【０００２】
【特許文献１】特開２０１５−９５３２５号公報
【背景技術】
【０００３】
車輌用灯具には、例えば、カバーとランプハウジングによって構成された灯具外筐の内部に、外部電源から電力の供給を受けて光を出射する光源や光源に対して電力を供給するためのコネクター等が配置されたものがある（例えば、特許文献１参照）。
【０００４】
特許文献１に記載された車輌用灯具にあっては、カバーに結合部が取り付けられ、ランプハウジングにフレームを介してコネクターが取り付けられ、ランプハウジングとカバーの組付時に結合部とコネクターが結合されるように構成されている。
【０００５】
車輌用灯具にあっては、カバーに電子部品が配置された結合部が設けられランプハウジングにコネクターが取り付けられており、ランプハウジングとカバーの組付時に結合部とコネクターを電気的に結合することにより電子部品への給電経路を確保したいと言うニーズがある。
【発明の概要】
【発明が解決しようとする課題】
【０００６】
ところで、特許文献１に記載された車輌用灯具のように、カバーに取り付けられた構造とランプハウジングに取り付けられた構造とがカバーとランプハウジングの組付時に結合される構成において、カバーとランプハウジングの高い加工精度及びカバーとランプハウジングに対する各構造の高い位置精度が確保されていない場合には、二つの構造が適正に結合されないおそれがある。
【０００７】
しかしながら、適正な結合を確保するために、上記した高い加工精度及び高い位置精度を確保しようとすると、高い加工精度を確保するための高精度の加工装置が必要とされると共に高い精度管理が必要となり、製造コストの高騰を来してしまう。
【０００８】
そこで、本発明車輌用灯具は、上記した問題点を克服し、製造コストの高騰を来すことなくランプハウジングとカバーの組付時における作業効率の向上を図ることを課題とする。
【課題を解決するための手段】
【０００９】
第１に、本発明に係る車輌用灯具は、上記した課題を解決するために、開口を有するランプハウジングと、前記ランプハウジングの前記開口を覆うカバーと、前記ランプハウジングの内面側に位置されたコネクターと、前記カバーの内面側に位置され前記ランプハウジングと前記カバーの組付状態において前記コネクターと結合される結合体とを備え、前記コネクター又は前記結合体が前記ランプハウジング又は前記カバーに対して少なくとも傾動可能にされたものである。
【００１０】
これにより、ランプハウジングとカバーの組付状態において結合体とコネクターが結合されるときに結合体又はコネクターがランプハウジング又はカバーに対して傾動可能な状態であり、結合体の位置又はコネクターの位置に応じてコネクター又は結合体が傾動されて結合体とコネクターが結合される。
【００１１】
第２に、上記した本発明に係る車輌用灯具においては、前記ランプハウジングに前記コネクターが支持される支持突部が設けられることが望ましい。
【００１２】
これにより、コネクターが支持突部に支持されるため、ランプハウジングにコネクターを支持する支持孔が形成されない。
【００１３】
第３に、上記した本発明に係る車輌用灯具においては、前記結合体又は前記コネクターの一方には前記ランプハウジングと前記カバーの組付時に前記結合体と前記コネクターの位置を合わせる方向へ前記結合体又は前記コネクターを誘導する誘導部が設けられ、前記結合体又は前記コネクターの他方には前記誘導部に誘導される被誘導部が設けられることが望ましい。
【００１４】
これにより、誘導部によって被誘導部が誘導されて結合体とコネクターの位置が合わされる。
【００１５】
第４に、上記した本発明に係る車輌用灯具においては、前記ランプハウジング又は前記カバーに球状の挿入突部又は支持凹部が形成され、前記コネクター又は前記結合体に前記挿入突部又は前記支持凹部に回転自在に支持される球状の支持凹部又は挿入突部が形成されることが望ましい。
【００１６】
これにより、ランプハウジング又はカバーに対してコネクターが任意の方向へ傾動可能とされる。
【００１７】
第５に、上記した本発明に係る車輌用灯具においては、前記コネクター又は前記結合体に前記ランプハウジング又は前記カバーに押し当てられるバネ部が設けられることが望ましい。
【００１８】
これにより、バネ部が弾性変形されてコネクターが傾動される。
【００１９】
第６に、上記した本発明に係る車輌用灯具においては、前記コネクター又は前記結合体に前記ランプハウジング又は前記カバーに取り付けられる被取付部と前記被取付部に連結されたバネ部とが設けられることが望ましい。
【００２０】
これにより、バネ部が弾性変形されてコネクターの一部が被取付部に対して傾動される。
【発明の効果】
【００２１】
本発明によれば、ランプハウジングとカバーの組付状態において結合体とコネクターが結合されるときに結合体又はコネクターがランプハウジング又はカバーに対して傾動可能な状態であり、結合体の位置又はコネクターの位置に応じてコネクター又は結合体が傾動されて結合体とコネクターが結合されれるため、製造コストの高騰を来すことなくランプハウジングとカバーの組付時における作業効率の向上を図ることができる。
【図面の簡単な説明】
【００２２】
【図１】図２乃至図１９と共に本発明車輌用灯具の実施の形態を示すものであり、本図は、概略縦断面図である。
【図２】ランプハウジングとカバーを分離して示す車輌用灯具の概略縦断面図である。
【図３】コネクターとランプハウジングの一部とを示す分解斜視図である。
【図４】支持突部の側面図である。
【図５】支持突部にコネクターが支持された状態を示す側面図である。
【図６】別の支持突部の例を示す斜視図である。
【図７】図８と共に第１の変形例に係るランプハウジングとコネクターを示すものであり、本図は、分解斜視図である。
【図８】コネクターが支持突部に支持された状態を示す側面図である。
【図９】図１０と共に第２の変形例に係るランプハウジングとコネクターを示すものであり、本図は、分解斜視図である。
【図１０】コネクターが支持突部に支持された状態を示す側面図である。
【図１１】図１２と共に第３の変形例に係るランプハウジングとコネクターを示すものであり、本図は、分解斜視図である。
【図１２】コネクターが支持突部に支持された状態を一部を断面にして示す側面図である。
【図１３】図１４と共に第４の変形例に係るランプハウジングとコネクターを示すものであり、本図は、分解斜視図である。
【図１４】コネクターが支持突部に支持された状態を示す側面図である。
【図１５】図１６乃至図１８と共に第５の変形例に係るランプハウジングとコネクターを示すものであり、本図は、分解斜視図である。
【図１６】コネクターが支持突部に対して傾斜された状態を示す側面図である。
【図１７】コネクターが支持突部に対して移動された状態を示す側面図である。
【図１８】コネクターが支持突部に対して図１７とは異なる方向へ移動された状態を示す側面図である。
【図１９】接続端子の一部が案内部として用いられる例を示す斜視図である。
【発明を実施するための形態】
【００２３】
以下に、本発明車輌用灯具を実施するための形態について添付図面を参照して説明する。
【００２４】
＜車輌用灯具の構成＞
車輌用灯具１は、例えば、それぞれ車体の前端部における左右両端部に取り付けられて配置されている。
【００２５】
車輌用灯具１は前方に開口が形成された凹部を有するランプハウジング２とランプハウジング２の開口を閉塞するカバー３とを備えている（図１及び図２参照）。
【００２６】
尚、以下には、ランプハウジング２が位置する側を後方としカバー３が位置する側を前方として説明する。但し、以下に示す前後上下左右の方向は説明の便宜上のものであり、本発明の実施に関しては、これらの方向に限定されることはない。
【００２７】
ランプハウジング２とカバー３によって灯具外筐４が構成され、灯具外筐４の内部空間が灯室５として形成されている。
【００２８】
灯室５にはランプユニット３０やエクステンション４０等の所要の各部が配置されている。ランプユニット３０は、例えば、主光源３１とリフレクター３２を有している。
【００２９】
ランプハウジング２の外周部は固定部２ａとして設けられている。ランプハウジング２には内面から前方に突出された支持突部６、６が、例えば、左右に離隔して設けられている。支持突部６には前方に開口された支持孔７が形成されている。
【００３０】
支持孔７は前側に位置された案内挿入部７ａと後側に位置された軸支持部７ｂとから成る（図３及び図４参照）。案内挿入部７ａは前方へ行くに従って上下の幅が大きくされている。軸支持部７ｂは前後に長い略長穴状に形成されている。支持孔７は案内挿入部７ａと軸支持部７ｂの連続部分の上下の幅が軸支持部７ｂの径より稍小さくされている。軸支持部７ｂは長穴状に形成され、例えば、前後方向の幅が上下方向の幅より大きくされている。
【００３１】
支持突部６、６にはコネクター８が傾動自在かつ移動自在に支持されている（図３及び図５参照）。
【００３２】
上記のように、車輌用灯具１にあっては、ランプハウジング２にコネクター８が支持される支持突部６、６が設けられ、支持突部６にコネクター８が支持される支持孔７が形成されている。
【００３３】
従って、コネクター８が取付突部６、６に形成された支持孔７、７に支持されるため、ランプハウジング２の外周部にコネクター８を支持する支持孔が形成されず、ランプハウジング２とカバー３によって構成される灯室５の防水性の向上を図ることができる。
【００３４】
コネクター８はベース部９と結合用突部１０と被支持部１１、１１を有している（図３参照）。
【００３５】
ベース部９はランプハウジング２とカバー３の組付方向を向く略板状に形成されている。
【００３６】
結合用突部１０はベース部９の中央部から前方に突出され、前後に延びる略角柱状の本体部１２と本体部１２の周面に設けられた突条部１３、１３、・・・とを有している。突条部１３、１３、・・・は前後に延びる形状に形成され、周方向において不等の間隔で離隔して位置されている。
【００３７】
本体部１２における前端部の四つの周面は前端に近付くに従って内方へ変位する傾斜面にされ、これらの傾斜面が被誘導部１２ａ、１２ａ、・・・として形成されている。
【００３８】
被支持部１１、１１はそれぞれ結合用突部１０の左右両側面から側方に突出されている。被支持部１１は、例えば、丸軸状に形成され、径が支持孔７における軸支持部７ｂの上下方向の幅と略同じにされている。
【００３９】
コネクター８には複数の接続端子８ａ、８ａ、・・・が埋設され、各接続端子８ａ、８ａ、・・・の前端部が本体部１２の前面に露出されている（図１乃至図３参照）。
【００４０】
接続端子８ａ、８ａ、・・・にはケーブル５０、５０、・・・が接続されており、ケーブル５０、５０、・・・を介して接続端子８ａ、８ａ、・・・に外部電源から電流が供給される。尚、所定のケーブル５０は主光源３１に接続されている。
【００４１】
上記のように構成されたコネクター８は被支持部１１、１１が支持孔７、７に前側から挿入されて支持突部６、６に支持される。被支持部１１が支持孔７に挿入されるときには、支持突部６における支持孔７の上側の部分と下側の部分が互いに離隔する方向へ弾性変形され、被支持部１１が軸支持部７ｂに挿入されることにより支持突部６における支持孔７の上側の部分と下側の部分が互いに近付く方向へ弾性復帰されてコネクター８が支持突部６に支持される（図５参照）。
【００４２】
上記のように、ランプハウジング２にはコネクター８を支持するための弾性変形可能な支持突部６、６が設けられているため、コネクター８の支持突部６、６に対する組付を容易に行うことができる。
【００４３】
支持突部６、６に支持されたコネクター８は支持突部６、６に対して被支持部１１、１１を支点として上下方向へ傾動可能（回動可能）にされると共に軸支持部７ｂ、７ｂに対して被支持部１１、１１は一方が前方へ他方が後方へ移動されることにより左右方向へ傾動可能にされる。また、コネクター８は軸支持部７ｂ、７ｂに対して被支持部１１、１１が前後方向において同じ方向へ移動されることにより支持突部６、６に対して前後方向へも移動可能にされる。
【００４４】
尚、上記には、支持孔７の軸支持部７ｂは前後方向の幅が上下方向の幅より大きくされた例を示したが、軸支持部７ｂは一方の幅が他の方向の幅より大きくされた長穴状に形成されていればよく、例えば、上下方向の幅が前後方向の幅より大きくされていてもよい。この場合には、コネクター８が支持突部６、６に対して上下方向へ移動可能とされる。
【００４５】
また、被支持部１１が長穴状（小判状）に形成され軸支持部７ｂが円形状に形成されていてもよい。
【００４６】
カバー３の外周部はシール足３ａとして設けられている（図１及び図２参照）。カバー３には内面から後方に突出された結合体１４が設けられている。尚、結合体１４は少なくとも一部がカバー３と一体に形成されていてもよく、また、カバー３とは別体で構成され、カバー３に取り付けられていてもよい。
【００４７】
結合体１４は、例えば、導光体１５と導光体１５へ向けて光を出射する光源１６ａと光源１６ａの駆動回路となる電子部品１６ｂと光源１６ａ及び電子部品１６ｂが搭載された基板１７とを有している。
【００４８】
尚、結合体１４は電気的な接続を必要とする構造であれば、他の構造でもよい。
【００４９】
導光体１５はカバー３に連続され、導光体１５からは後方へ向けて結合部１８が突出されている。結合部１８は、例えば、略角筒状に形成され、結合部１８の内周面には図示しない凹凸部が形成されている。
【００５０】
光源１６ａと電子部品１６ｂと基板１７は、例えば、導光体１５の後端側に位置され、光源１６ａと電子部品１６ｂは基板１７の前面に搭載されている。
【００５１】
光源１６ａは、例えば、ＬＥＤ（Light Emitting Diode）であり、基板１７の後面には、例えば、図示しない端子部が設けられている。光源１６ａから出射される光は導光体１５に入射され、導光体１５の内部で導かれて外部へ向けて照射される。
【００５２】
＜車輌用灯具における組付＞
上記のように構成された車輌用灯具１において、ランプハウジング２とカバー３は固定部２ａとシール足３ａが位置合わせされて固定されランプハウジング２とカバー３が組み付けられる。
【００５３】
このとき同時に結合体１４とコネクター８が結合される。結合体１４とコネクター８の結合は結合体１４の結合部１８にコネクター８の本体部１２が挿入されることにより行われる。結合部１８に本体部１２が挿入されるときには、結合部１８の開口縁に本体部１２の少なくとも一つの被誘導部１２ａが摺動され本体部１２が結合部１８の内部に挿入されていく。従って、結合部１８の開口縁は本体部１２を誘導する誘導部１８ａとして機能する。
【００５４】
また、ランプハウジング２とカバー３が組み付けられるときには両者の相対角度や両者のランプハウジング２とカバー３に対する位置精度等によってコネクター８と結合体１４の結合時の角度や位置が若干ずれる可能性がある。
【００５５】
しかしながら、コネクター８は支持突部６、６に対して傾動可能かつ移動可能とされているため、角度や位置のずれが生じている場合においてはコネクター８を必要な方向へ必要な角度傾動又は必要な距離移動させることにより結合用突部１０を結合部１８に容易に挿入することができる。
【００５６】
本体部１２が結合部１８の所定の位置まで挿入されることによりコネクター８と結合体１４の結合が完了する。コネクター８と結合体１４の結合が完了された状態においては、結合部１８の内周面に形成された凹凸部のうち凸部が本体部１２の突条部１３、１３、・・・間に挿入され凹部に突条部１３、１３、・・・が挿入されコネクター８と結合体１４の位置決めが行われる。また、このとき本体部１２の前面に露出されている接続端子８ａ、８ａ、・・・と基板１７の後面に設けられた端子部とが接続され、接続端子８ａ、８ａ、・・・を介して光源１６ａに対する電流の供給が可能な状態にされる。
【００５７】
上記のように、車輌用灯具１にあっては、結合体１４にランプハウジング２とカバー３の組付時に結合体１４とコネクター８の位置を合わせる方向へコネクター８を誘導する誘導部１８ａが設けられ、コネクター８に誘導部１８ａに誘導される被誘導部１２ａ、１２ａ、・・・が形成されている。
【００５８】
従って、誘導部１８ａによって被誘導部１２ａ、１２ａ、・・・が誘導されて結合体１４とコネクター８の位置が合わされるため、結合体１４とコネクター８を確実に結合することができる。
【００５９】
尚、上記には、結合体１４に誘導部１８ａが設けられ、コネクター８に被誘導部１２ａが形成された例を示したが、逆に、結合体に被誘導部が形成されコネクターに誘導部が設けられていてもよい。
【００６０】
さらに、上記には、結合体１４の結合部１８にコネクター８の結合用突部１０が挿入されて結合体１４とコネクター８が結合される例を示したが、結合体の結合部がコネクターの結合用突部に挿入されて結合体とコネクターが結合される構成にされていてもよい。
【００６１】
さらにまた、上記には、案内挿入部７ａと軸支持部７ｂが形成された支持突部６を例として示したが、支持突部６に代えて、例えば、軸支持部７ｂのみが形成された支持突部１９が設けられていてもよい（図６参照）。支持突部１９、１９にはそれぞれ内方に開口する支持孔７Ｘ、７Ｘが形成され、支持孔７Ｘ、７Ｘがそれぞれ軸支持部７ｂ、７ｂのみによって構成されている。軸支持部７ｂは長穴状に形成され、例えば、前後方向の幅が上下方向の幅より大きくされている。
【００６２】
コネクター８は、支持突部１９、１９が互いに離隔する方向へ弾性変形された状態で被支持部１１、１１がそれぞれ軸支持部７ｂ、７ｂに挿入され支持突部１９、１９が弾性復帰されることにより、支持突部１９、１９に傾動自在かつ移動自在に支持される。
【００６３】
尚、支持突部１９、１９は支持孔７Ｘ、７Ｘが左右方向において貫通されていてもよい。
【００６４】
＜第１の変形例＞
以下に、ランプハウジングとコネクターの第１の変形例乃至第５の変形例について説明する（図７乃至図１８参照）。
【００６５】
尚、以下に示す各変形例に係るランプハウジング及びコネクターは、上記したランプハウジング２及びコネクター８と比較して、支持突部の構成が異なること及びベース部又は被支持部の構成が異なることのみが相違するため、ランプハウジング２及びコネクター８と比較して異なる部分についてのみ詳細に説明をし、その他の部分についてはランプハウジング２及びコネクター８における同様の部分に付した符号と同じ符号を付して説明は省略する。
【００６６】
先ず、第１の変形例について説明する（図７及び図８参照）。
【００６７】
ランプハウジング２Ａには内面から前方に突出された支持突部６Ａ、６Ａ、６Ａが設けられている。支持突部６Ａ、６Ａ、６Ａは、例えば、二つが左右に離隔し、一つが左右に離隔した二つの支持突部６Ａ、６Ａの左右方向における中央部の下方に位置されている。
【００６８】
支持突部６Ａ、６Ａ、６Ａにはそれぞれ前後に延び前方に開口された支持孔７Ａ、７Ａ、７Ａが形成されている。
【００６９】
支持孔７Ａは前側に位置された第１の軸支持部７ａと後側に位置された第２の軸支持部７ｂとから成る。第１の軸支持部７ａは第２の軸支持部７ｂより溝幅が大きくされている。支持孔７Ａにおける第１の軸支持部７ａと第２の軸支持部７ｂの連続部分には段差７ｃ、７ｃが形成されている。
【００７０】
支持突部６Ａ、６Ａ、６Ａにはコネクター８Ａが傾動自在かつ移動自在に支持されている。
【００７１】
コネクター８Ａはベース部９と結合用突部１０と被支持部１１Ａ、１１Ａ、１１Ａを有している。
【００７２】
被支持部１１Ａ、１１Ａ、１１Ａはそれぞれ結合用突部１０の左右両側面と下面から側方又は下方に突出されている。被支持部１１Ａは、例えば、すり割り形状の略丸軸状に形成され、スリットを挟んで対称な形状に形成された弾性変形部１１ａ、１１ａを有している。
【００７３】
上記のように構成されたコネクター８Ａは被支持部１１Ａ、１１Ａ、１１Ａが支持孔７Ａ、７Ａ、７Ａに前側から挿入されて支持突部６Ａ、６Ａ、６Ａに支持される。このときコネクター８Ａは被支持部１１Ａ、１１Ａ、１１Ａがそれぞれ段差７ｃ、７ｃ、・・・に押し付けられて支持突部６Ａ、６Ａ、６Ａに保持される。
【００７４】
支持突部６Ａ、６Ａ、６Ａに支持されたコネクター８Ａは支持突部６Ａ、６Ａ、６Ａに対して上側の被支持部１１Ａ、１１Ａを支点として上下方向へ傾動可能にされると共に支持突部６Ａ、６Ａ、６Ａに対して下側の被支持部１１Ａを支点として左右方向へ傾動可能にされる。また、コネクター８Ａは被支持部１１Ａの弾性変形部１１ａ、１１ａが弾性変形されることにより支持孔７Ａの第２の軸支持部７ｂに挿入可能にされており（図８参照）、これによっても左右方向及び上下方向への傾動が許容されている。
【００７５】
また、支持孔７Ａ、７Ａ、７Ａが前後に延びる形状に形成されているため、コネクター８Ａは前後方向へも移動可能にされる。このとき被支持部１１Ａが支持孔７Ａの第２の軸支持部７ｂに挿入されたときには、弾性変形部１１ａ、１１ａが互いに近づく方向へ弾性変形される。従って、コネクター８Ａの支持突部６Ａ、６Ａ、６Ａに対するガタツキが防止される。
【００７６】
ランプハウジング２Ａとカバー３が組み付けられるときには、同時に結合体１４とコネクター８Ａが結合される。このときコネクター８Ａは支持突部６Ａ、６Ａ、６Ａに対して傾動可能かつ移動可能とされているため、角度や位置のずれが生じている場合においてはコネクター８Ａを必要な方向へ必要な角度傾動又は必要な距離移動させることにより結合用突部１０を結合部１８に容易に挿入することができる。
【００７７】
＜第２の変形例＞
次に、第２の変形例について説明する（図９及び図１０参照）。
【００７８】
ランプハウジング２Ｂには内面から前方に突出された支持突部６Ｂが設けられている。支持突部６Ｂには前方に開口された略球状の支持凹部７Ｂが形成されている。支持突部６Ｂの前端部にはスリット６ａ、６ａが支持凹部７Ｂを挟んだ反対側に形成されている。
【００７９】
支持突部６Ｂにはコネクター８Ｂが傾動自在に支持されている。
【００８０】
コネクター８Ｂはベース部９と結合用突部１０と被支持部１１Ｂを有している。
【００８１】
被支持部１１Ｂはベース部９の後面から後方に突出されている。被支持部１１Ｂはベース部９に連続された連結軸２０と連結軸２０に連続された略球状の挿入突部２１とから成り、挿入突部２１の曲率が支持凹部７ｂの曲率と略同じにされている。
【００８２】
上記のように構成されたコネクター８Ｂは被支持部１１Ｂの挿入突部２１が支持凹部７Ｂに前側から挿入されて支持突部６Ｂに支持される。このとき支持突部６Ｂは挿入突部２１の挿入に伴ってスリット６ａ、６ａ間の部分が互いに離隔する方向へ弾性変形され、支持凹部７Ｂに挿入突部２１が挿入されることにより支持突部６Ｂにおけるスリット６ａ、６ａ間の部分が互いに近付く方向へ弾性復帰されてコネクター８Ｂが支持突部６Ｂに支持される。
【００８３】
支持突部６Ｂに支持されたコネクター８Ｂは支持突部６Ｂに対して挿入突部２１を支点として任意の方向へ傾動可能（回転可能）にされる。
【００８４】
ランプハウジング２Ｂとカバー３が組み付けられるときには、同時に結合体１４とコネクター８Ｂが結合される。このときコネクター８Ｂは支持突部６Ｂに対して傾動可能とされているため、角度や位置のずれが生じている場合においてはコネクター８Ｂを必要な方向へ必要な角度傾動させることにより結合用突部１０を結合部１８に容易に挿入することができる。
【００８５】
上記のように、支持突部６Ｂに支持凹部７Ｂが形成されコネクター８Ｂに挿入突部２１が設けられることにより、ランプハウジング２Ｂに対してコネクター８Ｂが任意の方向へ傾動可能とされ、結合体１８とコネクター８Ｂの結合を円滑に行うことができる。
【００８６】
尚、上記には、支持突部６Ｂに支持凹部７Ｂが形成されコネクター８Ｂに挿入突部２１が設けられた例を示したが、逆に、支持突部に挿入突部が設けられコネクターに支持凹部が形成されていてもよい。
【００８７】
＜第３の変形例＞
続いて、第３の変形例について説明する（図１１及び図１２参照）。
【００８８】
ランプハウジング２Ｃには内面から前方に突出された支持突部６Ｃ、６Ｃが左右に離隔して設けられている。支持突部６Ｃ、６Ｃの先端部にはそれぞれ側方に突出された脱落規制爪６ｂ、６ｂが設けられている。脱落規制爪６ｂ、６ｂは弾性変形可能とされ、先端が先細りとなる形状の傾斜面が形成されている。
【００８９】
ランプハウジング２Ｃには内面から前方に突出された規制部２２が支持突部６Ｃ、６Ｃ間に設けられている。規制部２２はブロック状の基部２２ａと基部２２ａの左右両端部からそれぞれ前方に突出された受け突部２２ｂ、２２ｂとから成る。
【００９０】
支持突部６Ｃ、６Ｃにはコネクター８Ｃが傾動自在かつ移動自在に支持されている。
【００９１】
コネクター８Ｃはベース部９Ｃと結合用突部１０を有している。ベース部９Ｃには被支持孔９ａ、９ａが左右に離隔して形成されている。
【００９２】
上記のように構成されたコネクター８Ｃはベース部９Ｃの被支持孔９ａ、９ａにそれぞれ支持突部６Ｃ、６Ｃが後側から挿入されて支持突部６Ｃ、６Ｃに支持される。このとき支持突部６Ｃ、６Ｃの脱落規制爪６ｂ、６ｂが被支持孔９ａ、９ａを形成する壁面に摺接されて弾性変形され、脱落規制爪６ｂ、６ｂが被支持孔９ａ、９ａの前方に位置されることにより弾性復帰され、コネクター８Ｃが支持突部６Ｃ、６Ｃに支持される。コネクター８Ｃは脱落規制爪６ｂ、６ｂが被支持孔９ａ、９ａの前側開口縁に係合可能とされ、支持突部６Ｃ、６Ｃからの脱落が規制される。
【００９３】
コネクター８Ｃが支持突部６Ｃ、６Ｃに支持された状態において、被支持孔９ａ、９ａにおける支持突部６Ｃ、６Ｃの周囲に隙間が形成され、ベース部９Ｃの後面と受け突部２２ｂ、２２ｂの前端との間にも隙間が形成されている（図１２参照）。従って、コネクター８Ｃは支持突部６Ｃ、６Ｃに対して任意の方向へ傾動可能にされると共に前後方向へ移動可能にされる。
【００９４】
ランプハウジング２Ｃとカバー３が組み付けられるときには、同時に結合体１４とコネクター８Ｃが結合される。このときコネクター８Ｃは支持突部６Ｃ、６Ｃに対して傾動可能かつ移動可能とされているため、角度や位置のずれが生じている場合においてはコネクター８Ｃを必要な方向へ必要な角度傾動又は必要な距離移動させることにより結合用突部１０を結合部１８に容易に挿入することができる。
【００９５】
＜第４の変形例＞
次に、第４の変形例について説明する（図１３及び図１４参照）。
【００９６】
ランプハウジング２Ｄには内面から前方に突出された支持突部６Ｄ、６Ｄ、６Ｄが設けられている。支持突部６Ｄ、６Ｄ、６Ｄは、例えば、上側に二つと下側に一つが設けられ、上側の支持突部６Ｄ、６Ｄは左右に離隔して位置され、下側の支持突部６Ｄは上側の支持突部６Ｄ、６Ｄの中央部に位置されている。上側の支持突部６Ｄ、６Ｄの先端部にはそれぞれ側方に突出された係合爪６ｃ、６ｃが設けられている。上側の二つの支持突部６Ｄ、６Ｄは弾性変形可能とされている。
【００９７】
ランプハウジング２Ｄには内面から前方に突出された受け突部２３、２３が左右に離隔して設けられている。受け突部２３はブロック状の基台部２３ａと基台部２３ａから前方に突出された押さえ突部２３ｂとから成り、押さえ突部２３ｂの先端部が半球状に形成されている。
【００９８】
支持突部６Ｄ、６Ｄ、６Ｄにはコネクター８Ｄが傾動自在に支持されている。
【００９９】
コネクター８Ｄはベース部９と結合用突部１０とバネ部２４、２４、・・・を有している。
【０１００】
バネ部２４、２４、・・・はベース部９と一体に形成された板バネであり、ベース部９の後面から突出され、例えば、上下左右に離隔して四つが設けられている。
【０１０１】
上記のように構成されたコネクター８Ｄはベース部９が支持突部６Ｄ、６Ｄ、６Ｄの内側に挿入されて支持突部６Ｄ、６Ｄ、６Ｄに支持される。このとき上側の支持突部６Ｄ、６Ｄの係合爪６ｃ、６ｃがベース部９の両側面に摺接されて支持突部６Ｄ、６Ｄが弾性変形され、係合爪６ｃ、６ｃがベース部９の前方に位置されることにより支持突部６Ｄ、６Ｄが弾性復帰され、コネクター８Ｄが支持突部６Ｄ、６Ｄ、６Ｄに支持される。
【０１０２】
コネクター８Ｄが支持突部６Ｄ、６Ｄ、６Ｄに支持された状態においては、ベース部９が受け突部２３、２３の押さえ突部２３ｂ、２３ｂによって後方から押さえられ、ベース部９が下側の支持突部６Ｄに下側から受けられる。
【０１０３】
支持突部６Ｄ、６Ｄ、６Ｄに支持されたコネクター８Ｄはバネ部２４、２４、・・・が弾性変形されることにより、押さえ突部２３ｂ、２３ｂを支点として上下方向へ傾動可能にされる。
【０１０４】
ランプハウジング２Ｄとカバー３が組み付けられるときには、同時に結合体１４とコネクター８Ｄが結合される。このときコネクター８Ｄは支持突部６Ｄ、６Ｄ、６Ｄに対して傾動可能とされているため、角度や位置のずれが生じている場合においてはコネクター８Ｄを必要な方向へ必要な角度傾動させることにより結合用突部１０を結合部１８に容易に挿入することができる。
【０１０５】
尚、上記には、コネクター８Ｄがバネ部２４、２４、・・・の弾性変形により、押さえ突部２３ｂ、２３ｂを支点として上下方向へ傾動可能にされた例を示したが、例えば、受け突部２３、２３を上下に離隔して設けコネクター８Ｄが押さえ突部２３ｂ、２３ｂを支点として左右方向へ傾動可能にされるように構成することも可能である。
【０１０６】
上記したように、コネクター８Ｄにバネ部２４、２４、・・・が設けられることにより、バネ部２４、２４、・・・が弾性変形されてコネクター８Ｄが傾動され、簡素な構造でコネクター８Ｄが傾動されるため、構造の簡素化及び部品点数の削減を図ることができる。
【０１０７】
尚、上記には、四つのバネ部２４が設けられた例を示したが、バネ部２４の数は任意であり、三つ以下でもよく、五つ以上であってもよい。
【０１０８】
＜第５の変形例＞
次に、第５の変形例について説明する（図１５乃至図１８参照）。
【０１０９】
ランプハウジング２Ｅには内面から前方に突出された支持突部６Ｅ、６Ｅ、・・・が設けられている。支持突部６Ｅ、６Ｅ、・・・は、例えば、上下左右に離隔して設けられ、先端側にそれぞれ他の部分より径が細くされた挿入軸６ｄ、６ｄ、・・・を有している。
【０１１０】
支持突部６Ｅ、６Ｅ、・・・にはコネクター８Ｅが取り付けられた状態で支持されている。
【０１１１】
コネクター８Ｅはベース部９Ｅと結合用突部１０と被取付部２５とバネ部２６、２６、・・・とを有している。
【０１１２】
ベース部９Ｅは前後方向を向く矩形の平板状に形成されている。
【０１１３】
被取付部２５は前後方向を向く矩形の枠状に形成され、ベース部９Ｅの外周側に位置されている。被取付部２５の各角部にはそれぞれ挿入孔２５ａ、２５ａ、・・・が形成されている。
【０１１４】
バネ部２６、２６、・・・はベース部９Ｅ及び被取付部２５と一体に形成された板バネであり、例えば、上下左右に離隔して四つが設けられている。バネ部２６、２６、・・・は両端部がそれぞれベース部９Ｅの角部と被取付部２５の角部とに連結されている。
【０１１５】
上記のように構成されたコネクター８Ｅは被取付部２５の挿入孔２５ａ、２５ａ、・・・にそれぞれ支持突部６Ｅ、６Ｅ、・・・の挿入軸６ｄ、６ｄ、・・・が、例えば、圧入により挿入されて支持突部６Ｅ、６Ｅ、・・・に取り付けられる。尚、コネクター８Ｅの支持突部６Ｅ、６Ｅへの取付はネジ止めやカシメ等によって行われてもよい。
【０１１６】
支持突部６Ｅ、６Ｅ、・・・に取り付けられたコネクター８Ｅはバネ部２６、２６、・・・が弾性変形されることにより、ベース部９と結合用突部１０がランプハウジング２Ｅ及び被取付部２５に対して任意の方向へ傾動可能にされる（図１６参照）。また、コネクター８Ｅはバネ部２６、２６、・・・が弾性変形されることにより、ベース部９と結合用突部１０がランプハウジング２Ｅ及び被取付部２５に対して上下前後左右の任意の方向へ移動可能にされる（図１７及び図１８参照）。
【０１１７】
ランプハウジング２Ｅとカバー３が組み付けられるときには、同時に結合体１４とコネクター８Ｅが結合される。このときコネクター８Ｅはベース部９と結合用突部１０が支持突部６Ｅ、６Ｅ、・・・に対して傾動可能とされているため、角度や位置のずれが生じている場合においてはベース部９と結合用突部１０を必要な方向へ必要な角度傾動又は必要な距離移動させることにより結合用突部１０を結合部１８に容易に挿入することができる。
【０１１８】
尚、上記には、バネ部２６、２６、・・・の両端部がそれぞれベース部９Ｅの角部と被取付部２５の角部とに連結された例を示したが、バネ部２６、２６、・・・は両端部がそれぞれベース部９Ｅの角部以外の部分と被取付部２５の角部以外の部分とに連結されていてもよい。例えば、バネ部２６は両端部がそれぞれベース部９Ｅにおける隣り合う二つの角部の中央部と被取付部２５における隣り合う二つの角部の中央部とに連結されていてもよい。
【０１１９】
また、上記には、バネ部２６、２６、・・・を例として示したが、バネ部２６、２６、・・・に代えて結合用突部１０と被取付部２５が、例えば、紐状の部材によって結合されていてもよい。この場合に結合用突部１０と被取付部２５と紐状の部材が一体に形成されていてもよい。
【０１２０】
上記したように、コネクター８Ｅにバネ部２６、２６、・・・が設けられることにより、バネ部２６、２６、・・・が弾性変形されてコネクター８Ｅの一部が被取付部２５に対して傾動又は移動され、簡素な構造でコネクター８Ｅの一部が傾動又は移動されるため、構造の簡素化及び部品点数の削減を図ることができる。
【０１２１】
尚、上記には、四つのバネ部２６が設けられた例を示したが、バネ部２６の数は任意であり、三つ以下でもよく、五つ以上であってもよい。
【０１２２】
＜その他＞
上記したコネクター８、８Ａ、８Ｂ、８Ｃ、８Ｄ、８Ｅには、図１９に示すように、一般に、複数の接続端子２７、２７、・・・が設けられるが、基板１７の端子部には一部を除いた数の接続端子２７、２７、・・・が接続される。例えば、六つの接続端子２７、２７、・・・が設けられている場合に、二つの接続端子２７、２７は使用されない。
【０１２３】
このような場合には、使用されない二つの接続端子２７、２７を他の接続端子より突出させ、突出された接続端子２７、２７を結合体１４と結合されるときの案内部として用いることが可能である。具体的には、結合体１４に二つの挿入穴を形成し、結合体１４とコネクター８、８Ａ、８Ｂ、８Ｃ、８Ｄ、８Ｅが結合されるときに二つの接続端子２７、２７がそれぞれ挿入穴に挿入されることにより、結合体１４とコネクター８、８Ａ、８Ｂ、８Ｃ、８Ｄ、８Ｅが位置合わせされて結合される。
【０１２４】
このように一部の接続端子２７を案内部として機能させることにより、他に専用の案内部を設ける必要がなく、構造の簡素化を図った上で結合体１４とコネクター８、８Ａ、８Ｂ、８Ｃ、８Ｄ、８Ｅを適正な位置で確実に結合することができる。
【０１２５】
また、上記には、ランプハウジング２、２Ａ、２Ｂ、２Ｃ、２Ｄ、２Ｅに支持突部６、６Ａ、６Ｂ、６Ｃ、６Ｄ、６Ｅが設けられ、コネクター８、８Ａ、８Ｂ、８Ｃ、８Ｄ、８Ｅが支持突部６、６Ａ、６Ｂ、６Ｃ、６Ｄ、６Ｅに対して傾動可能又は移動可能にされ、固定された状態の結合体１４と傾動可能又は移動可能なコネクター８、８Ａ、８Ｂ、８Ｃ、８Ｄ、８Ｅとが結合される例を示した。但し、本発明においては、逆に、カバー３に支持突部６、６Ａ、６Ｂ、６Ｃ、６Ｄ、６Ｅが設けられ、結合体１４が支持突部６、６Ａ、６Ｂ、６Ｃ、６Ｄ、６Ｅに対して傾動可能又は移動可能にされ、傾動可能又は移動可能な結合体１４と固定された状態のコネクター８、８Ａ、８Ｂ、８Ｃ、８Ｄ、８Ｅとが結合される構成にされていてもよい。
【０１２６】
＜まとめ＞
以上に記載した通り、車輌用灯具１にあっては、ランプハウジング２、２Ａ、２Ｂ、２Ｃ、２Ｄ、２Ｅの内面側に位置されたコネクター８、８Ａ、８Ｂ、８Ｃ、８Ｄ、８Ｅと、カバー３の内面側に位置された結合体１４とが設けられ、コネクター８、８Ａ、８Ｂ、８Ｃ、８Ｄ、８Ｅ又は結合体１４がランプハウジング２、２Ａ、２Ｂ、２Ｃ、２Ｄ、２Ｅ又はカバー３に対して少なくとも傾動可能にされている。
【０１２７】
従って、ランプハウジング２、２Ａ、２Ｂ、２Ｃ、２Ｄ、２Ｅとカバー３の組付状態において（組付時）結合体１４とコネクター８、８Ａ、８Ｂ、８Ｃ、８Ｄ、８Ｅが結合されるときに結合体１４又はコネクター８、８Ａ、８Ｂ、８Ｃ、８Ｄ、８Ｅがランプハウジング２、２Ａ、２Ｂ、２Ｃ、２Ｄ、２Ｅ又はカバー３に対して少なくとも傾動可能な状態である。これにより、結合体１４の向きや位置又はコネクター８、８Ａ、８Ｂ、８Ｃ、８Ｄ、８Ｅの向きや位置に応じてコネクター８、８Ａ、８Ｂ、８Ｃ、８Ｄ、８Ｅ又は結合体１４が傾動されて結合体１４とコネクター８、８Ａ、８Ｂ、８Ｃ、８Ｄ、８Ｅが結合されれるため、製造コストの高騰を来すことなくランプハウジング２、２Ａ、２Ｂ、２Ｃ、２Ｄ、２Ｅとカバー３の組付時における作業効率の向上を図ることができる。
【０１２８】
尚、カバー３とランプハウジング２、２Ａ、２Ｂ、２Ｃ、２Ｄ、２Ｅの組付工程においては、一般に、ランプハウジング２、２Ａ、２Ｂ、２Ｃ、２Ｄ、２Ｅが固定された状態において保持具によって保持されたカバー３がランプハウジング２、２Ａ、２Ｂ、２Ｃ、２Ｄ、２Ｅ側へ移動されてランプハウジング２、２Ａ、２Ｂ、２Ｃ、２Ｄ、２Ｅとカバー３が組み付けられる。
【０１２９】
従って、上記したように、ランプハウジング２、２Ａ、２Ｂ、２Ｃ、２Ｄ、２Ｅに設けられた支持突部６、６Ａ、６Ｂ、６Ｃ、６Ｄ、６Ｅに対してコネクター８、８Ａ、８Ｂ、８Ｃ、８Ｄ、８Ｅが傾動可能にされ、結合体１４がカバー３に対して固定された状態にされることにより、カバー３の移動時に結合体１４が不必要に傾動されることがなく、結合体１４とコネクター８、８Ａ、８Ｂ、８Ｃ、８Ｄ、８Ｅの結合作業を円滑に行うことができる。
【符号の説明】
【０１３０】
１…車輌用灯具、２…ランプハウジング、３…カバー、６…支持突部、７…支持孔、８…コネクター、１２ａ…被誘導部、１４…結合体、１８ａ…誘導部、１９…支持突部、７Ｘ…支持孔、２Ａ…ランプハウジング、６Ａ…支持突部、７Ａ…支持孔、８Ａ…コネクター、２Ｂ…ランプハウジング、６Ｂ…支持突部、７Ｂ…支持凹部、８Ｂ…コネクター、２１…挿入突部、２Ｃ…ランプハウジング、６Ｃ…支持突部、８Ｃ…コネクター、２Ｄ…ランプハウジング、６Ｄ…支持突部、８Ｄ…コネクター、２４…バネ部、２Ｅ…ランプハウジング、６Ｅ…支持突部、８Ｅ…コネクター、２５…被取付部、２６…バネ部
【図１】
2017120735.tif 000003
【図２】
2017120735.tif 000004
【図３】
2017120735.tif 000005
【図４】
2017120735.tif 000006
【図５】
2017120735.tif 000007
【図６】
2017120735.tif 000008
【図７】
2017120735.tif 000009
【図８】
2017120735.tif 000010
【図９】
2017120735.tif 000011
【図１０】
2017120735.tif 000012
【図１１】
2017120735.tif 000013
【図１２】
2017120735.tif 000014
【図１３】
2017120735.tif 000015
【図１４】
2017120735.tif 000016
【図１５】
2017120735.tif 000017
【図１６】
2017120735.tif 000018
【図１７】
2017120735.tif 000019
【図１８】
2017120735.tif 000020
【図１９】
2017120735.tif 000021